(57)【要約】【課題】携帯端末と同期して、携帯端末への入力の補助、及び携帯端末の画像表示機能の拡張を可能とする画像表示方法を提供する。【解決手段】本発明の画像表示方法は、水平配置された画像表示面に画像を表示する画像表示方法である。本発明の画像表示方法は、画像表示面上に載置された外部装置の位置を検知する検知ステップと、画像表示面のうち外部装置が載置された位置と重ならない位置に、外部装置に対して情報を入力するための入力機器を示す画像を表示する表示ステップとを包含する。【選択図】図４
2018028954.tif 000002
【特許請求の範囲】
【請求項１】
水平配置された画像表示面に画像を表示する画像表示方法であって、
前記画像表示面上に載置された外部装置の位置を検知する検知ステップと、
前記画像表示面のうち前記外部装置が載置された位置と重ならない位置に、前記外部装置に対して情報を入力するための入力機器を示す画像を表示する表示ステップと
を包含する、画像表示方法。
【請求項２】
前記外部装置に情報を送信する通信ステップをさらに含み、
前記検知ステップは、前記入力機器の画像に対応する位置へのタッチを検出するステップを含み、
前記通信ステップにおいて、前記入力機器に対する操作に対応する指示情報を前記外部装置に送信する、請求項１に記載の画像表示方法。
【請求項３】
前記検知ステップにおいて、前記入力機器の画像の表示位置の変更を指示されたことを受けて、前記表示ステップにおいて、新たに指示された位置に、前記入力機器の画像を移動させて表示する、請求項１又は２に記載の画像表示方法。
【請求項４】
前記検知ステップにおいて、タッチされたことが検出されたことを受けて、前記表示ステップにおいて、前記外部装置から受信した、前記外部装置の画像表示面に表示された画像データを、拡大して表示する、請求項１から３の何れか１項に記載の画像表示方法。
【請求項５】
前記外部装置が載置された状態で、前記検知ステップにおいて、タッチされたことが検出されたことを受けて、前記表示ステップにおいて、前記外部装置から受信した前記外部装置の画像表示面に表示された画像データが、前記載置領域に対応する部分を含む領域に拡大表示され、
前記拡大表示された状態で、前記検知ステップにおいて、前記外部装置が前記画像表示面の上から取除かれたことが検出されたことを受けて、前記表示ステップにおいて、前記載置領域に対応する部分に表示されていた部分画像が、異なる部分画像に変更される、請求項１から４の何れか１項に記載の画像表示方法。
【請求項６】
前記外部装置が載置された状態で、前記検知ステップにおいて、タッチされたことが検出されたことを受けて、前記表示ステップにおいて、前記外部装置から受信した前記外部装置の画像表示面に表示された画像データが、前記載置領域に対応する部分を含む領域に拡大表示され、
前記拡大表示された状態で、前記検知ステップにおいて、前記外部装置が前記画像表示面上から取除かれたことが検出されても、前記表示ステップにおいて、前記拡大表示を維持する、請求項１から４の何れか１項に記載の画像表示方法。
【請求項７】
前記検知ステップにおいて、複数の外部装置が前記画像表示面の上に載置されたことを検出したことを受けて、前記表示ステップにおいて、検出された複数の載置位置に対応する位置の各々の近傍に、入力機器の画像を表示する、請求項１から６の何れか１項に記載の画像表示方法。
【請求項８】
前記検知ステップにおいて、複数台の前記外部装置の各々に対して入力機器を表示する指示を受けたことに応じて、前記表示ステップにおいて、複数台の前記外部装置の各々を載置する領域の境界線を表示する、請求項１から７の何れか１項に記載の画像表示方法。
【発明の詳細な説明】
【技術分野】
【０００１】
本発明は、タッチパネルディスプレイの画像表示面が水平に配置されたテーブル型画像表示装置に関し、特に、携帯端末と同期して、携帯端末への入力の補助、及び携帯端末の画像表示機能の拡張を可能とする画像表示装置に関する。
【背景技術】
【０００２】
近年、携帯型の情報処理装置が普及している。そのユーザインターフェイス装置として、画像表示面上にタッチパネルが配置されたディスプレイ（以下、タッチパネルディスプレイという）が採用されている。タッチパネルディスプレイに表示された対象を直接タッチ操作するだけでなく、文字及び数字等の入力が必要な場合には、画面にソフトウェアキーボードを表示し、これを操作することが一般化している。
【０００３】
コンピュータにおいてもタッチパネルディスプレイが搭載され、タッチ操作を想定したユーザインターフェイスを採用したオペレーティングシステム（ＯＳ）も提供されている。従来のコンピュータ用キーボード（以下、単にキーボードという）及びコンピュータ用マウスの何れも標準装備していないタブレットＰＣ又はタブレット端末等と呼ばれる携帯端末装置も提供されている。
【０００４】
タッチパネルディスプレイに関しては、その大画面化が進展しており、今後、タッチパネルディスプレイが種々の用途に使用されることが予想される。例えば、電子黒板等の用途は元より、画像表示面を水平に配置して、タッチ操作可能なテーブル（事務用テーブル又は会議用テーブル等）として使用することが提案されている。
【０００５】
このようなタッチパネルディスプレイの普及に伴い、タッチ操作の改善が要望されている。例えば、下記特許文献１には、オフィス環境を改善するための事務機器一体型デスクにおいて、入力手段としてキーボードをタッチパネルに表示する技術が開示されている。具体的には、デスクの天板にパソコン機能部を備え、パソコン機能部には、ディスプレイ画面を表示するスクリーン部と、キーボードを表示するキーボード用タッチパネルとが設けられている。また、下記特許文献２には、テーブルの上面がタッチパネルで構成され、外部のコンピュータに接続されて、テーブル上面に表示用画面とキーボードとを表示する技術が開示されている。このテーブルには、タッチパネルの機能をオン／オフするためのフットスイッチ又はプッシュスイッチを備えている。
【先行技術文献】
【特許文献】
【０００６】
【特許文献１】特開平８−８９３４６号公報
【特許文献２】特開２０１２−１３８０３０号公報
【発明の概要】
【発明が解決しようとする課題】
【０００７】
しかし、特許文献１に開示された技術では、液晶パネルの大きさの制約により、デスクの天板の一部にタッチパネルディスプレイを設けることしかできず、主に個人使用に限定され、複数人で同時に使用することができない問題があった。
【０００８】
上記したように、タッチパネルディスプレイの大画面化が進展しているが、画像表示面を水平に配置して、テーブルとして使用したタッチ操作可能なテーブル型画像表示装置は、十分に活用されておらず、その可能性が十分に検討されていない。例えば、特許文献２では、テーブルの上面を構成するタッチパネルの機能を、単にオン／オフすることしかできない。
【０００９】
近年では、Ｂｌｕｅｔｏｏｔｈ（登録商標）、Ｗｉ−Ｆｉ等の無線通信環境が普及している。これらの無線通信機能が標準搭載された携帯端末も普及しており、携帯端末とテーブル型画像表示装置との連携により、操作性の改善、利便性の向上、及び新たな機能の創出が期待される。
【００１０】
したがって、本発明は、タッチパネルディスプレイの画像表示面が水平に配置されたテーブル型画像表示装置であって、携帯端末と同期して、携帯端末への入力の補助、及び携帯端末の画像表示機能の拡張を可能とする画像表示装置を提供することを目的とする。
【課題を解決するための手段】
【００１１】
本発明に係る画像表示装置は、画像表示面が水平に配置された表示部と、表示部の画像表示面上に配置され、タッチされた位置を検出する検出部とを含む。表示部は、検出部が、外部装置が検出部の上に載置されたことを検出したことを受けて、検出された載置領域に対応する画像表示面上の領域の近傍に、外部装置に対する入力機器の画像を表示する。
【００１２】
好ましくは、画像表示装置は、検出部により、入力機器の画像に対応する位置へのタッチが検出されたことを受けて、入力機器に対する操作に対応する指示情報を、外部装置に送信する通信部をさらに含む。
【００１３】
より好ましくは、表示部は、検出部が、入力機器の画像の表示位置の変更を指示されたことを受けて、新たに指示された位置に、入力機器の画像を移動させて表示する。
【００１４】
さらに好ましくは、表示部は、検出部により、タッチされたことが検出されたことを受けて、外部装置から受信した、外部装置の画像表示面に表示された画像データを、拡大して表示する。
【００１５】
好ましくは、表示部は、外部装置が載置された状態で、検出部により、タッチされたことが検出されたことを受けて、外部装置から受信した外部装置の画像表示面に表示された画像データを、載置領域に対応する部分を含む領域に拡大表示し、拡大表示された状態で、検出部により、外部装置が検出部の上から取除かれたことを受けて、載置領域に対応する部分に表示されていた部分画像を異なる部分画像に変更する。
【００１６】
より好ましくは、表示部は、外部装置が載置された状態で、検出部により、タッチされたことが検出されたことを受けて、外部装置から受信した外部装置の画像表示面に表示された画像データを、載置領域に対応する部分を含む領域に拡大表示し、拡大表示された状態で、検出部により、外部装置が検出部の上から取除かれたことが検出されても、拡大表示を維持する。
【００１７】
さらに好ましくは、表示部は、検出部が、複数の外部装置が検出部の上に載置されたことを検出したことを受けて、検出された複数の載置位置に対応する位置の各々の近傍に、入力機器の画像を表示する。
【００１８】
好ましくは、表示部は、検出部が、複数台の外部装置の各々に対して入力機器を表示する指示を受けたことに応じて、複数台の外部装置の各々を載置する領域の境界線を表示する。
【発明の効果】
【００１９】
本発明によれば、テーブル型画像表示装置において、画像表示面の上に端末装置が載置されると、端末装置の近傍にキーボード等の入力機器の画像が表示されることにより、ユーザは端末装置への入力を容易に行なうことができる。
【００２０】
また、端末装置の表示画面に表示された画像を、より大画面の画像表示装置に表示することにより、ユーザは、打合せ又はプレゼンテーション等を、容易且つ効率的に行なうことができる。
【図面の簡単な説明】
【００２１】
【図１】本発明の第１の実施の形態に係る画像表示装置の概略構成を示すブロック図である。
【図２】タッチ入力の検出方法の一例を示す図である。
【図３】本発明の第１の実施の形態に係る画像表示装置と連携する端末装置の概略構成を示すブロック図である。
【図４】本発明の第１の実施の形態に係る画像表示装置と端末装置との連携を実現するために、画像表示装置において実行されるプログラムの制御構造を示すフローチャートである。
【図５】本発明の第１の実施の形態に係る画像表示装置と端末装置との連携を実現するために、端末装置において実行されるプログラムの制御構造を示すフローチャートである。
【図６】選択画面が表示された状態の画像表示装置を示す平面図である。
【図７】入力補助機能を提供するためのメッセージが表示された状態の画像表示装置を示す平面図である。
【図８】端末装置が載置され、キーボード及びタッチパッドの画像が表示された状態の画像表示装置を示す平面図である。
【図９】表示補助機能を提供するためのメッセージが表示された状態の画像表示装置を示す平面図である。
【図１０】端末装置の画面の画像が表示された状態の画像表示装置を示す平面図である。
【図１１】図８の状態から、キーボード画像及びタッチパッド画像の表示位置が変更された状態の画像表示装置を示す平面図である。
【図１２】端末装置及び画像表示装置に対するドラッグ操作を示す平面図である。
【図１３】図１２に続く、端末装置及び画像表示装置に対するドラッグ操作を示す平面図である。
【図１４】端末装置が置かれ、キーボード画像と、タッチパッド画像と、拡大された端末装置の画面の画像とが表示された状態の画像表示装置を示す平面図である。
【図１５】本発明の第２の実施の形態に係る画像表示装置と端末装置との連携を実現するために、画像表示装置において実行されるプログラムの制御構造を示すフローチャートである。
【図１６】本発明の第２の実施の形態に係る画像表示装置と端末装置との連携を実現するために、端末装置において実行されるプログラムの制御構造を示すフローチャートである。
【図１７】端末装置上のドラッグ操作によって端末装置の画面の画像が表示された状態の画像表示装置を示す平面図である。
【図１８】端末装置が画像表示装置の上から取除かれた状態を示す平面図である。
【図１９】図１８とは別の、端末装置が画像表示装置の上から取除かれた状態を示す平面図である。
【図２０】端末装置が画像表示装置の上から取除かれた後、端末装置の画面が変更された状態を示す平面図である。
【図２１】本発明の第３の実施の形態に係る画像表示装置と端末装置との連携を実現するために、画像表示装置において実行されるプログラムの制御構造を示すフローチャートである。
【図２２】本発明の第３の実施の形態に係る画像表示装置と端末装置との連携を実現するために、端末装置において実行されるプログラムの制御構造を示すフローチャートである。
【図２３】２台の端末装置の入力補助機能を提供するためのメッセージが表示された状態の画像表示装置を示す平面図である。
【図２４】２台用キーがタッチされた状態の画像表示装置を示す平面図である。
【図２５】１台の端末装置が載置された状態の画像表示装置を示す平面図である。
【図２６】２台の端末装置が載置された状態の画像表示装置を示す平面図である。
【図２７】図２６とは別の、２台の端末装置が載置された状態の画像表示装置を示す平面図である。
【発明を実施するための形態】
【００２２】
以下の実施の形態では、同一の部品には同一の参照番号を付してある。それらの名称及び機能も同一である。したがって、それらについての詳細な説明は繰返さない。
【００２３】
以下において、「タッチ」とは入力位置の検出装置が位置を検出可能な状態になることを意味し、検出装置に接触して押圧する場合、押圧せずに接触する場合、及び、接触せずに近接する場合を含む。入力位置の検出装置には、接触型に限らず非接触型の装置を用いることもできる。非接触型の検出装置の場合には「タッチ」とは、入力位置を検出可能な距離まで検出装置に近接した状態を意味する。
【００２４】
（第１の実施の形態）
図１を参照して、本発明の第１の実施の形態に係る画像表示装置１００は、演算処理部（以下、ＣＰＵと記す）１０２、読出専用メモリ（以下、ＲＯＭと記す）１０４、書換可能メモリ（以下、ＲＡＭと記す）１０６、記録部１０８、通信部１１０、タッチ検出部１１２、表示部１１４、表示制御部１１６、ビデオメモリ（以下、ＶＲＡＭと記す）１１８、及びバス１２０を備えている。ＣＰＵ１０２は、画像表示装置１００全体を制御する。
【００２５】
後述するように、タッチ検出部１１２及び表示部１１４がタッチパネルディスプレイを構成し、タッチパネルディスプレイの画像表示面が水平に配置され、画像表示装置１００はテーブルとして使用される。
【００２６】
ＲＯＭ１０４は不揮発性の記憶装置であり、画像表示装置１００の動作を制御するために必要なプログラム及びデータを記憶している。ＲＡＭ１０６は、通電が遮断された場合にデータが消去される揮発性の記憶装置である。記録部１０８は、通電が遮断された場合にもデータを保持する不揮発性記憶装置であり、例えば、ハードディスクドライブ、又はフラッシュメモリ等である。記録部１０８は着脱可能に構成されていてもよい。ＣＰＵ１０２は、バス１２０を介してＲＯＭ１０４からプログラムをＲＡＭ１０６上に読出して、ＲＡＭ１０６の一部を作業領域としてプログラムを実行する。ＣＰＵ１０２は、ＲＯＭ１０４に格納されているプログラムにしたがって画像表示装置１００を構成する各部の制御を行なう。
【００２７】
バス１２０には、ＣＰＵ１０２、ＲＯＭ１０４、ＲＡＭ１０６、記録部１０８、通信部１１０、タッチ検出部１１２、表示制御部１１６、及びＶＲＡＭ１１８が接続されている。各部間のデータ（制御情報を含む）交換は、バス１２０を介して行なわれる。
【００２８】
表示部１１４は、画像を表示するための表示パネル（液晶パネル等）である。表示制御部１１６は、表示部１１４を駆動するための駆動部を備え、ＶＲＡＭ１１８に記憶された画像データを所定のタイミングで読出し、表示部１１４に画像として表示するための信号を生成して、表示部１１４に出力する。表示される画像データは、ＣＰＵ１０２が記録部１０８から読出して、ＶＲＡＭ１１８に伝送する。
【００２９】
通信部１１０は、後述する携帯型端末装置との無線通信を可能とする。無線通信方式は任意であり、例えば、Ｂｌｕｅｔｏｏｔｈ（登録商標）、又はＷｉ−Ｆｉを使用することができる。なお、Ｗｉ−Ｆｉを用いる場合には、通信部１１０は、無線ルータが接続されたネットワークに有線で接続されていてもよい。
【００３０】
タッチ検出部１１２は、例えばタッチパネルであり、ユーザによるタッチ操作を検出する。タッチ検出部１１２は、表示部１１４の表示画面に重畳して配置される。タッチ検出部１１２へのタッチは、タッチ位置に対応する、表示画面に表示された画像の点を指定する操作である。したがって、本願明細書においては、記載の冗長性を排除するために、表示部１１４に表示された画像へのタッチと記載されている場合、この記載は、対応するタッチ検出部１１２上の位置へのタッチを意味する。
【００３１】
タッチ検出部１１２にタッチパネルを用いる場合のタッチ操作の検出について、図２を参照して説明する。図２は、赤外線遮断検出方式のタッチパネル（タッチ検出部１１２）を示す。タッチパネルは、長方形の書込面の隣接する２辺にそれぞれ一列に配置された発光ダイオード列（以下、ＬＥＤ列と記す）１４０、１４２と、それぞれのＬＥＤ列１４０、１４２に対向させて一列に配置された２つのフォトダイオード列（以下、ＰＤ列と記す）１４４、１４６とを備えている。ＬＥＤ列１４０、１４２の各ＬＥＤから赤外線を発光し、この赤外線を対向するＰＤ列１４４、１４６の各ＰＤが検出する。図２において、ＬＥＤ列１４０、１４２の各ＬＥＤから赤外線を上向き及び左向きの矢印で示す。
【００３２】
タッチパネルは、例えばマイクロコンピュータ（以下、マイコンという）（ＣＰＵ、メモリ、及び入出力回路等を含む素子）を備え、各ＬＥＤの発光を制御する。各ＰＤは、受光した光の強度に応じた電圧を出力する。ＰＤの出力電圧は、アンプによって増幅される。また、各ＰＤ列１４４、１４６の複数のＰＤからは同時に信号が出力されるので、出力信号は一旦バッファに保存された後、ＰＤの配列順序に応じたシリアル信号として出力され、マイコンに伝送される。ＰＤ列１４２から出力されるシリアル信号の順序は、Ｘ座標を表す。ＰＤ列１４６から出力されるシリアル信号の順序は、Ｙ座標を表す。
【００３３】
ユーザ９００が指でタッチパネル上にタッチすると、タッチされた位置で赤外線が遮断される。したがって、遮断される前まで、その赤外線を受光していたＰＤの出力電圧は減少する。タッチされた位置（ＸＹ座標）に対応するＰＤからの信号部分が減少するので、マイコンは、受信した２つのシリアル信号の信号レベルが低下している部分を検出し、タッチされた位置座標を求める。マイコンは、決定した位置座標をＣＰＵ１０２に伝送する。このタッチ位置を検出する処理は、所定の検出周期で繰返されるので、同じ点が検出周期よりも長い時間タッチされていると、同じ座標データが繰返し出力される。どこにもタッチされていなければ、マイコンは位置座標を伝送しない。
【００３４】
上記したタッチされた位置の検出技術は公知であるので、これ以上の説明は繰返さない。また、タッチ検出部１１２には、赤外線遮断方式以外のタッチパネル（静電容量方式、表面弾性波方式、抵抗膜方式等）を用いてもよい。なお、静電容量方式では、センサに近接していれば非接触でも位置を検出することができる。
【００３５】
画像表示装置１００は上記のように構成されており、ユーザは画像表示装置１００をコンピュータと同様に操作することができる。即ち、ユーザは、表示部１１４に表示された画面上のユーザインターフェイス（操作ボタン等）を、タッチ検出部１１２を介してタッチ操作し、アプリケーションプログラムを起動すること、及び、起動したアプリケーションによって表示されるウィンドウ上の操作を、タッチ検出部１１２を介して行なうことができる。
【００３６】
図３を参照して、画像表示装置１００と連携する携帯型端末装置（以下、単に端末装置という）は、画像表示装置１００と同様に構成されている。即ち、端末装置２００は、ＣＰＵ２０２、ＲＯＭ２０４、ＲＡＭ２０６、記録部２０８、通信部２１０、タッチ検出部２１２、表示部２１４、表示制御部２１６、ＶＲＡＭ２１８、及びバス２２０を備えている。ＣＰＵ２０２は、端末装置２００全体を制御する。タッチ検出部２１２及び表示部２１４がタッチパネルディスプレイを構成している。
【００３７】
ＲＯＭ１０４は、端末装置２００の動作を制御するために必要なプログラム及びデータを記憶している。ＣＰＵ２０２は、バス２２０を介してＲＯＭ２０４からプログラムをＲＡＭ２０６上に読出して、ＲＡＭ２０６の一部を作業領域としてプログラムを実行する。ＣＰＵ２０２は、ＲＯＭ２０４に格納されているプログラムにしたがって端末装置２００を構成する各部の制御を行なう。
【００３８】
表示部２１４は、画像を表示するための表示パネル（液晶パネル等）である。表示制御部２１６は、表示部２１４を駆動するための駆動部を備え、ＶＲＡＭ２１８に記憶された画像データを所定のタイミングで読出し、表示部２１４に画像として表示するための信号を生成して、表示部２１４に出力する。表示される画像データは、ＣＰＵ２０２が記録部２０８から読出して、ＶＲＡＭ２１８に伝送する。
【００３９】
通信部２１０は、Ｂｌｕｅｔｏｏｔｈ（登録商標）又はＷｉ−Ｆｉ等により、画像表示装置１００との無線通信を可能とする。
【００４０】
タッチ検出部２１２は、例えばタッチパネルであり、ユーザによるタッチ操作を検出する。タッチ検出部２１２は、表示部２１４の表示画面に重畳して配置される。タッチ検出部２１２へのタッチは、タッチ位置に対応する、表示画面に表示された画像の点を指定する操作である。タッチ検出部２１２にタッチパネルを用いる場合のタッチ操作の検出については、図２を参照して上記したとおりである。
【００４１】
以下、図４及び図５を参照して、画像表示装置１００と端末装置２００との連携により、端末装置２００の入力補助機能及び表示補助機能を実現する方法に関して、具体的に説明する。ここでは、画像表示装置１００において、連携を実現するためのプログラムが起動している状態で、ユーザが、連携を実現するためのプログラムが起動した端末装置２００を持って、画像表示装置１００に近付いたとする。画像表示装置１００と端末装置２００との通信は、Ｂｌｕｅｔｏｏｔｈ（登録商標）によって直接行なわれるとする。
【００４２】
画像表示装置１００の動作に関して説明する。図４を参照して、ステップ４００において、ＣＰＵ１０２は、連携機能を提供する対象である予め登録済みの端末装置２００が検出されたか否かを判定する。検出されたと判定された場合、制御は４０２に移行する。そうでなければ、制御はステップ４３２に移行し、ＣＰＵ１０２は、終了を指示されているか否かを判定する。終了の指示は、例えば、画像表示装置１００の電源がオフされることによってなされる。終了を指示されていれば、本プログラムを終了する。そうでなければ、制御はステップ４００に戻る。これにより、該当する端末装置２００を検出するまで、検出処理が繰返される。
【００４３】
端末装置２００が検出された場合、ステップ４０２において、ＣＰＵ１０２は、表示部１１４に機能の選択画面を表示して、ユーザによる選択を待受ける。例えば、表示部１１４の画面６００には、図６に示すような、入力補助及び表示補助の機能を選択するためのウィンドウが表示される。
【００４４】
ステップ４０４において、ＣＰＵ１０２は、選択がなされたか否かを判定する。具体的には、ＣＰＵ１０２は、「入力補助」キー又は「表示補助」キーの何れかがタッチされたか否かを判定する。「入力補助」キー又は「表示補助」キーの何れかがタッチされたと判定された場合、制御はステップ４０６に移行する。そうでなければ、ステップ４０４が繰返される。
【００４５】
ステップ４０６において、ＣＰＵ１０２は、ステップ４０４で検出した選択結果を選択情報として端末装置２００に送信する。例えば、ＣＰＵ１０２は、「入力補助」キーがタッチされたことが検出された場合には、選択情報として“０”を送信し、「表示補助」キーがタッチされたことが検出された場合には、選択情報として“１”を送信する。
【００４６】
ステップ４０８において、ＣＰＵ１０２は、ステップ４０４で検出した選択に応じて制御を分岐する。「入力補助」であると判定された場合、制御はステップ４１０に移行する。「表示補助」であると判定された場合、制御はステップ４２２に移行する。
【００４７】
ステップ４１０において、ＣＰＵ１０２は、タッチ検出部１１２の上に端末装置２００が載置されたか否かを判定する。このとき、ＣＰＵ１０２は、表示部１１４に、何らかのメッセージを表示することが好ましい。例えば、図７に示すように、ユーザに端末装置を画像表示装置１００の上に置くように促すメッセージを表示する。
【００４８】
ＣＰＵ１０２は、タッチ検出部１１２の上に端末装置２００が置かれたことを、上記したようにして取得したタッチ位置座標から判定することができる。例えば、所定の面積以上の領域で同時に複数点のタッチが検出された場合、端末装置が画像表示装置１００の上に載置されたと判定する。端末装置が載置されたと判定された場合、制御はステップ４１２に移行する。そうでなければ、ステップ４１０が繰返される。
【００４９】
ステップ４１２において、ＣＰＵ１０２は、タッチ検出部１１２上の端末装置２００が載置された領域の下側に位置する表示部１１４の領域の近傍に、キーボード画像及びタッチパッド画像を表示する。キーボード画像及びタッチパッド画像は、回転等の処置を行なうことなく、画像表示装置１００の通常の表示機能によって表示される。例えば、図８に示すように、端末装置２００の下方に、キーボード画像６１０が表示され、その右側にタッチパッド画像６１２が表示される。また、ＣＰＵ１０２は、連携機能の終了を指示するためのキーを表示する。図８では、画面の右上に終了キー６２０が表示されている。この状態で、ユーザがタッチ検出部１１２にタッチした場合、ＣＰＵ１０２は、上記したようにタッチされた位置を特定することができる。
【００５０】
ステップ４１４において、ＣＰＵ１０２は、入力操作がなされたか否かを判定する。具体的には、キーボード画像６１０、タッチパッド画像６１２及び終了キー６２０の何れかがタッチされたか否かを判定する。入力操作がなされたと判定された場合、制御はステップ４１６に移行する。そうでなければ、ステップ４１４が繰返される。
【００５１】
ステップ４１６において、ＣＰＵ１０２は、ステップ４１４で検出された操作が、終了キー６２０へのタッチであるか否かを判定する。終了キー６２０へのタッチであると判定された場合、制御はステップ４２０に移行し、表示画像（キーボード画像６１０、タッチパッド画像６１２及び終了キー６２０）を消去し、終了を表す情報（以下、終了情報という）を端末装置２００に送信する。その後、制御はステップ４００に戻る。終了キー６２０へのタッチでないと判定された場合、制御はステップ４１８に移行する。
【００５２】
ステップ４１８において、ＣＰＵ１０２は、ステップ４１４で取得したタッチ位置座標からタッチ位置に対応する指示を特定し、対応するデータ（文字コード等）を端末装置２００に送信する。具体的には、ＣＰＵ１０２は、キーボード画像６１０のキーがタッチされた場合、タッチされた位置座標から、タッチされたキーに対応する文字コードを特定する。ＣＰＵ１０２は、タッチパッド画像６１２がタッチされた場合には、タッチされた位置に応じたデータを特定する。図８に示したタッチパッド画像６１２には、パッド領域６１８、左クリックキー６１４、右クリックキー６１６が含まれているので、ＣＰＵ１０２は、パッド領域６１８内がタッチされた場合には、タッチ検出部１１２から取得した位置座標に対応する、パッド領域６１８内の位置座標を特定する。ＣＰＵ１０２は、左クリックキー６１４又は右クリックキー６１６がタッチされた場合には、該当するコードを特定する。
【００５３】
画像表示装置１００から送信されたデータは、後述するように、端末装置２００によって受信されて、端末装置２００に対する入力処理が実行される。
【００５４】
ステップ４０８で「表示補助」であると判定された場合、ステップ４２２において、ＣＰＵ１０２は表示部１１４に、表示補助機能を実行するための所定のメッセージ、及び連携機能の終了を指示するためのキーを表示する。例えば、図９に示すように、メッセージ及び終了キー６２０が表示される。
【００５５】
後述するように、上記のメッセージを見たユーザが端末装置２００のタッチ検出部２１２上でドラッグ操作を行なうと、端末装置２００は、表示されている画面の画像データを、画像表示装置１００に送信する。
【００５６】
ステップ４２４において、ＣＰＵ１０２は、タッチ検出部１１２へのタッチ操作があったか否かを判定する。タッチ操作があったと判定された場合、制御はステップ４２６に移行する。そうでなければ、ステップ４２４が繰返される。即ち、ユーザが、端末装置２００のタッチ検出部２１２上でドラッグ操作を行なった後、画像表示装置１００のタッチ検出部１１２にタッチすると、制御はステップ４２６に移行する。
【００５７】
ステップ４２６において、ＣＰＵ１０２は、ステップ４２４で検出された操作が、終了キー６２０へのタッチであるか否かを判定する。終了キー６２０へのタッチであると判定された場合、制御はステップ４２０に移行し、表示画面の消去及び終了情報の送信を行なった後、制御はステップ４００に戻る。終了キー６２０へのタッチでないと判定された場合、制御はステップ４２８に移行する。
【００５８】
ステップ４２８において、ＣＰＵ１０２は、端末装置２００から画像データを受信したか否かを判定する。受信したと判定された場合、制御はステップ４３０に移行する。そうでなければ、ステップ４２８が繰返される。
【００５９】
ステップ４３０において、ＣＰＵ１０２は、ステップ４２８で受信した画像データを、ステップ４２４で検出されたタッチ位置に、例えば拡大して表示する。これによって、図１０に示すように、端末装置２００の表示部２１４の画面の画像と同じ画像６３２が、画像表示装置１００の表示部１１４に表示される。
【００６０】
その後、制御はステップ４２８に戻る。したがって、端末装置２００から画像データを受信する度に、画像表示装置１００は画面６００に表示することができる。例えば、ユーザが端末装置２００を操作して端末装置２００の画面が変更された状態で、ユーザがドラッグ操作を行なうと、新たな画像データが送信され、画像表示装置は受信した画像データを表示する。したがって、例えば、端末装置２００の画面に表示されている、複数のページ画像のうちの１ページをドラッグ操作して、画像表示装置１００に表示した後、端末装置２００の画面に別のページを表示すれば、２ページを同時に表示することができる。
【００６１】
端末装置２００の動作に関して説明する。図５を参照して、ステップ５００において、ＣＰＵ２０２は、連携の対象である画像表示装置１００が検出されたか否かを判定する。検出されたと判定された場合、制御は５０２に移行する。そうでなければ、制御はステップ５２２に移行し、ＣＰＵ２０２は、終了を指示されているか否かを判定する。終了の指示は、例えば、端末装置２００の電源がオフされることによってなされる。終了を指示されていれば、本プログラムを終了する。そうでなければ、制御はステップ５００に戻る。これにより、該当する画像表示装置１００を検出するまで、検出処理が繰返される。
【００６２】
画像表示装置１００が検出された場合、ステップ５０２において、ＣＰＵ２０２は、選択情報を受信したか否かを判定する。選択情報は、上記したように、ステップ４０６において、画像表示装置１００から送信される、入力補助及び表示補助の何れが選択されたかを表す情報である。選択情報を受信した場合、制御はステップ５０４に移行する。そうでなければ、ステップ５０２が繰返される。
【００６３】
ステップ５０４において、ＣＰＵ２０２は、ステップ５０２で受信した選択情報に応じて制御を分岐する。受信した選択情報が「入力補助」に対応すると判定された場合（選択情報＝０）、制御はステップ５０６に移行する。受信した選択情報が「表示補助」に対応すると判定された場合（選択情報＝１）、制御はステップ５１２に移行する。
【００６４】
ステップ５０６において、ＣＰＵ２０２は、画像表示装置１００からデータを受信したか否かを判定する。上記したステップ４１８において、画像表示装置１００から、画像表示装置１００に対するユーザの操作に応じたデータ（キーボード画像６１０上のタッチされたキーに対応する文字コード等）が送信される。受信したと判定された場合、制御はステップ５０８に移行する。そうでなければ、ステップ５０６が繰返される。
【００６５】
ステップ５０８において、ＣＰＵ２０２は、ステップ５０６で受信したデータが終了情報であるか否かを判定する。終了情報は、上記したステップ４２０において、画像表示装置１００から送信される。終了情報であると判定された場合、制御はステップ５００に戻る。そうでなければ、制御はステップ５１０に移行する。
【００６６】
ステップ５１０において、ＣＰＵ２０２は、受信したデータに応じた処理を実行する。即ち、ＣＰＵ２０２は、受信したデータを入力データとして、選択されているアプリケーションに渡す。その後、制御はステップ５０６に戻る。
【００６７】
したがって、画像表示装置１００に表示されたキーボード画像６１０又はタッチパッド画像６１２に対するタッチ操作がなされると、それに応じた入力処理が端末装置２００上で実行される。例えば、端末装置２００においてワープロソフトが起動され、選択されている状態で、画像表示装置１００に表示されたキーボード画像６１０が操作されたことにより、端末装置２００が文字コードを受信した場合、その文字コードはワープロソフトに渡され、ワープロソフトにより対応する文字が表示部２１４に表示される。また、画像表示装置１００に表示されたタッチパッド画像６１２が操作（タッチ）された場合、受信されたデータが、選択されているアプリケーションに渡され、タッチパッド画像６１２の操作に対応する処理が、選択されているアプリケーションにより実行される。
【００６８】
ステップ５０４で「表示補助」に対応すると判定された場合、ステップ５１２において、ＣＰＵ２０２は、タッチ検出部２１２に対するタッチ操作がなされたか否かを判定する。タッチ操作が検出された場合、制御はステップ５１４に移行する。そうでなければ、制御はステップ５１８に移行し、終了情報を受信したか否かを判定する。終了情報は、上記したステップ４２０において、画像表示装置１００から送信される。終了情報であると判定された場合、制御はステップ５００に戻る。そうでなければ、制御はステップ５１２に戻る。
【００６９】
ステップ５１４において、ＣＰＵ２０２は、タッチ検出部２１２上でドラッグ操作がなされたか否かを判定する。ドラッグ操作が検出された場合、制御はステップ５１６に移行する。そうでなければ、制御はステップ５２０に移行する。
【００７０】
上記したように、画像表示装置１００に、図９に示したようなメッセージが表示され、画像表示装置１００に、端末装置２００の画面を表示したいとユーザが考えた場合、ユーザは端末装置２００においてドラッグ操作を行なう。
【００７１】
ステップ５１６において、ＣＰＵ２０２は、表示部２１４の画面に表示されている画像データを、ＶＲＡＭ２１８から読出して画像表示装置１００に送信する。送信した画像データは、画像表示装置１００によって受信されて表示部１１４に表示される（ステップ４２８及びステップ４３０参照）。
【００７２】
その後、制御はステップ５１４に戻り、タッチ検出部２１２に対してドラッグ操作がなされる度に、表示部２１４の画面に表示されている画像データが画像表示装置１００に送信される。
【００７３】
ステップ５１２で検出された操作が、ドラッグ操作でなければ、ステップ５２０において、ＣＰＵ２０２は、操作に対応する処理を実行する。その後、制御はステップ５１２に戻る。
【００７４】
表示補助機能が選択された場合、ステップ５１２〜ステップ５２０によって、ユーザは、端末装置２００を操作して画面を変更することができ、画面が変更された後にドラッグ操作を行なえば、新たに画面に表示された画像データが送信されて画像表示装置１００に表示される。
【００７５】
以上のように、画像表示装置１００と端末装置２００との連携により、画像表示装置１００は、端末装置２００に対する入力補助機能及び表示補助機能を提供することができる。即ち、入力補助機能によって、ユーザは、端末装置２００の小さい画面にキーボード画像等を表示して画面の一部を入力のために使用することなく、端末装置２００の画面全体を表示のために使用することができる。画像表示装置１００の大画面に、通常の大きさのキーボード等が表示されるので、ユーザは入力操作を容易に行なうことができる。また、キーボード等を端末装置２００と一緒に持ち運ばなくてもよい。さらに、表示補助機能によって、端末装置２００の画面を拡大して画像表示装置１００に表示することができるので、ユーザは、端末装置２００を操作しながら、打合せ又はプレゼンテーション等を効率的に行なうことができる。
【００７６】
上記では、入力補助機能においては、入力処理のみに関して説明したが、キーボード画像６１０及びタッチパッド画像６１２を任意の位置に移動可能にしてもよい。例えば、キーボード画像６１０又はタッチパッド画像６１２の特定の部分（例えば、画像の上部）がタッチされ、タッチが維持された状態でドラッグされた場合、対象の画像を移動させてもよい。図１１は、キーボード画像６１０及びタッチパッド画像６１２の位置が、図８の配置から変更された状態を示す。これによって、ユーザは、より容易且つ効率的に入力操作を行なうことができる。
【００７７】
同様に、表示補助機能において、画像表示装置１００に表示された、端末装置２００の画面の画像６３２の表示位置を、タッチ検出部１１２に対するドラッグ操作等によって変更できるようにしてもよい。
【００７８】
上記では、画像表示装置１００に表示された終了キー６２０がタッチされた場合に、連携を終了する場合を説明したがこれに限定されない。例えば、端末装置２００が、画像表示装置１００のタッチ検出部１１２の上から取除かれた時点で、連携を終了してもよい。
【００７９】
上記では、表示補助機能において、ユーザが端末装置２００に対してドラッグ操作を行なった後、画像表示装置１００に対してタッチ操作を行なうことによって、タッチ位置に端末装置２００の画面の画像が表示される場合を説明したが、これに限定されない。例えば、ユーザが、端末装置２００のタッチ検出部２１２に対して指によるドラッグ操作を行ない、そのままその指を画像表示装置１００のタッチ検出部１１２に移動させて、続けてドラッグ操作を行なった場合に、そのドラッグ操作に応じて、画像表示装置１００に端末装置２００の画面の画像を表示してもよい。具体的には、図１２に示すように、ユーザは、端末装置２００の右端部分を画像表示装置１００の画面（タッチ検出部１１２の上面）の左側にタッチさせた状態で、端末装置２００上で右方向にドラッグ操作（左側の矢印）を行ない、そのまま、指を右方向に移動させて、画像表示装置１００にタッチし、タッチを維持したままドラッグ操作を行なう（右側の矢印）。この操作にしたがって、ＣＰＵ２０２は、端末装置２００上でのドラッグにより、端末装置２００の画面の画像データを画像表示装置１００に送信する。ＣＰＵ１０２は、タッチ位置（右側矢印の末端）に受信した画像の右端部分を表示し、その後のドラッグ操作の継続に応じて、現在のタッチ位置（右側矢印の先端）に画像の右端を移動させ、最初のタッチ位置（右側矢印の末端）までの範囲に、受信した画像の一部分６３０を表示する。ドラッグがさらに継続すると、図１３に示すように、端末装置２００の画面全体の画像６３２が画像表示装置１００に表示される。このような操作によって、画像表示装置１００と端末装置２００との連携をより効果的に演出することができ、相手に印象付けることができる。
【００８０】
また、上記では、表示補助機能において、ユーザがドラッグ操作を行なうことにより、端末装置２００の画面の画像データが送信される場合を説明したが、ドラッグ操作以外の操作であってもよい。また、端末装置２００の画面表示が変更される度に、ユーザがドラッグ操作を行なうことなく、自動的に端末装置２００の画面の画像データが送信されるようにしてもよい。このようにすると、ユーザの操作が少なくてすみ、より効率的である。
【００８１】
上記では、ユーザが入力補助機能及び表示補助機能の何れか一方を選択して利用する場合を説明したが、両方の機能を同時に利用可能にしてもよい。例えば、図４において、ステップ４０４でユーザが入力補助を選択した場合、ステップ４１２でキーボード画像６１０及びタッチパッド画像６１２を表示した後、表示補助機能を利用するか否かを選択するためのウィンドウを表示してもよい。ユーザが、表示補助機能の利用を選択した場合には、ステップ４２２〜４３０が実行されるようにすればよい。同様に、ステップ４０４でユーザが表示補助を選択した場合、ステップ４３０で端末装置の画面の画像を表示した後、入力補助機能を利用するか否かを選択するためのウィンドウを表示してもよい。ユーザが、入力補助機能の利用を選択した場合には、ステップ４１０〜４１８が実行されるようにすればよい。このようにすると、図１４に示すように、端末装置２００の画面が拡大されて表示された状態で、ユーザは、キーボード画像６１０及びタッチパッド画像６１２に対してタッチ操作を行なうことにより入力を行なうことができる。このとき、上記したように、端末装置２００の画面表示が変更される度に、自動的に端末装置２００の画面の画像データが送信されるようにすれば、キーボード画像６１０及びタッチパッド画像６１２に対するタッチ操作が自動的に、画像表示装置１００に表示された画像６３２に反映され、効率的である。
【００８２】
また、上記では、端末装置２００の画面が画像表示装置１００の画面と平行になるように、画像表示装置１００の上に端末装置２００を載置する場合を説明したが、これに限定されない。例えば、端末装置２００を立てて配置するためのスタンド等を用いて、画像表示装置１００のタッチ検出部１１２の上に、端末装置２００を載置してもよい。
【００８３】
上記では、キーボード画像及びタッチパッドの画像を表示する場合を説明したが、これに限定されない。キーボード画像及びタッチパッド画像の何れか一方のみを表示してもよい。その場合、キーボード画像及びタッチパッド画像の何れを表示するかを、ユーザが選択可能にしてもよい。
【００８４】
（第２の実施の形態）
第１の実施の形態では、端末装置の画面の画像と同じ画像を、例えば拡大して画像表示装置に表示する場合を説明したが、第２の実施の形態では、端末装置の画面の画像が、画像表示装置の画面の画像の一部を構成する。即ち、端末装置の画面が画像表示装置の画面を補完する。
【００８５】
第２の実施の形態に係る画像表示装置及び端末装置は、図１〜図３に示した第１の実施の形態に係る画像表示装置及び端末装置と同様に構成されている。以下においては、図１〜図３と同じ参照番号を使用する。第２の実施の形態に係る画像表示装置及び端末装置で実行されるプログラムは、第１の実施の形態と異なる。
【００８６】
図１５及び図１６を参照して、第２の実施の形態に係る画像表示装置１００と端末装置２００との連携に関して説明する。図１５に示すフローチャートが、図４に示すフローチャートと異なるのは、ステップ７００〜ステップ７０４が追加されているだけである。図１５においては、便宜上、図４のステップ４２２〜ステップ４３０を、ステップ７０６（表示補助処理）としてまとめて記載している。また、図１６に示すフローチャートが、図５に示すフローチャートと異なるのは、ステップ７２０〜ステップ７２６が追加されているだけである。図１６においては、便宜上、図５のステップ５１２〜ステップ５２０を、ステップ７２８（表示補助端末側処理）としてまとめて記載している。
【００８７】
図１５を参照して、入力補助が選択されてキーボード画像６１０及びタッチパッド画像６１２が表示された（ステップ４１２）後、入力操作がなされた場合（ステップ４１４での判定結果がＹＥＳ）、ステップ７００において、ＣＰＵ１０２は、所定領域がタッチされたか否かを判定する。所定領域とは、キーボード画像６１０、タッチパッド画像６１２、及び終了キー６２０が表示された領域である。所定領域へのタッチであると判定された場合、制御はステップ４１６に移行する。そうでなければ、制御はステップ７０２に移行する。
【００８８】
ステップ７０２において、ＣＰＵ１０２は、端末装置２００から画像データを受信したか否かを判定する。画像データの受信は、本プログラムと並行して実行されている別のプログラムによって行なわれ、受信された画像データは、ＲＡＭ１０６又は記録部１０８に記憶される。画像データが受信されていれば、制御はステップ７０４に移行する。そうでなければ、制御はステップ４１４に戻る。端末装置２００からの画像データの送信は、後述するように、端末装置２００の画面上でのドラッグ操作によって指示される。
【００８９】
ステップ７０４において、ＣＰＵ１０２は、受信している画像データを、端末装置２００が搭載されている領域を含むように、表示部１１４に表示する。例えば、図１７に示すように、端末装置２００が置かれている領域を左下部分に含むように、画像６４０が表示される。その後、制御はステップ４１４に戻る。
【００９０】
図１７では、端末装置２００の画面上で、矢印で示すようにドラッグ操作がなされたことによって、端末装置２００の画面の画像データが画像表示装置１００に送信され、画像表示装置１００の表示部１１４に何も表示されていない領域に対応する、タッチ検出部１１２上の領域がタッチされたことによって、端末装置２００の画面と同じ画像６４０が表示されている。
【００９１】
図１６を参照して、入力補助に対応するデータを受信した（ステップ５０４での判定結果がＹＥＳ）後、画像表示装置１００からのデータを受信していない場合（ステップ５０６での判定結果がＮＯ）、ステップ７２０において、ＣＰＵ２０２は、タッチ検出部２１２に対するタッチ操作がなされたか否かを判定する。タッチ操作が検出された場合、制御はステップ７２２に移行する。そうでなければ、ステップ７２０が繰返される。
【００９２】
ステップ７２２において、ＣＰＵ２０２は、タッチ検出部２１２上でドラッグ操作がなされたか否かを判定する。ドラッグ操作が検出された場合、制御はステップ７２４に移行する。そうでなければ、制御はステップ７２６に移行する。
【００９３】
ステップ７２４において、ＣＰＵ２０２は、表示部２１４の画面に表示されている画像データを、ＶＲＡＭ２１８から読出して画像表示装置１００に送信する。送信され画像データは、上記したように、画像表示装置１００によって受信されて表示部１１４に表示される（ステップ７０２及びステップ７０４参照）。その後、制御はステップ５０６に戻る。
【００９４】
ステップ７２０で検出された操作が、ドラッグ操作でなければ、ステップ７２６において、ＣＰＵ２０２は、操作に対応する処理を実行する。その後、制御はステップ５０６に戻る。
【００９５】
したがって、入力補助が選択された場合（ステップ４０８での判定結果がＹＥＳ）、ステップ７００〜ステップ７０４、及びステップ７２０〜ステップ７２６によって、ユーザは、端末装置２００を操作して画面の表示を変更することができ、画面の表示が変更された後にドラッグ操作を行なえば、新たな画面の画像データが送信されて画像表示装置１００に表示される。
【００９６】
図１７の状態から、図１８に示すように、端末装置２００が画像表示装置１００の上から取除かれても（取除かれた端末装置２００は左端部分のみが示されている）、端末装置２００の画面の画像と同じ画像６４０の表示は維持される。したがって、ユーザは、端末装置２００の画面が拡大されて表示された画像６４０を見ながら、キーボード画像６１０及びタッチパッド画像６１２に対してタッチ操作を行なうことができるので、入力操作を効率的に行なうことができる。
【００９７】
上記では、端末装置２００が画像表示装置１００の上から取除かれても、端末装置２００の画面と同じ画像６４０の表示が維持される場合を説明したが、図１９に示すように、端末装置２００が画像表示装置１００の上から取除かると、端末装置２００が置かれていた部分が表示されないようにしてもよい。即ち、ステップ７０４において、受信した画像データを表示する場合に、画像データのうち、端末装置２００が載置されている領域に表示される部分画像のデータを、別のデータ（例えば、黒等を表す単一色のデータ）に置換えて、表示部１１４に表示する。図１９では、端末装置２００が置かれていた部分６４４は単色で表示されている（グレーアウト）。このようにすれば、例えば図２０に示すように、ユーザは、端末装置２００を取除いた後、相手に見せたくない画像８０２を端末装置２００に表示して、検討することができる。図２０では、端末装置２００で実行されているアプリケーションのウィンドウに、社外秘の情報が表示されているが、その情報は、画像表示装置１００には表示されていない。この状態で、端末装置２００に対してドラッグ操作がなされて、端末装置２００の新たな画面の画像データが送信されても、社外秘の情報が表示されたウィンドウの位置が変更されない限り、画像表示装置１００には、端末装置２００の新たな画面の画像データが、社外秘の情報が除かれた状態で表示される。
【００９８】
（第３の実施の形態）
第１及び第２の実施の形態に係る画像表示装置は１台の端末装置と連携し、端末装置に対する入力補助機能を提供した。第３の実施の形態に係る画像表示装置は、複数の端末装置と連携し、各端末装置に対して入力補助機能を提供する。
【００９９】
第３の実施の形態に係る画像表示装置は、図１に示した第１の実施の形態に係る画像表示装置と同様に構成されている。また、複数台の各端末装置は、図３に示した端末装置と同様に構成されている。第３の実施の形態に係る画像表示装置及び端末装置で実行されるプログラムは、第１及び第２の実施の形態と異なる。
【０１００】
図２１及び図２２を参照して、第３の実施の形態に係る画像表示装置１００が２台の端末装置に入力補助機能を提供する場合に関して説明する。以下においては、画像表示装置に関しては、図１と同じ参照番号を使用する。２台の端末装置は、後述するように第１端末装置及び第２端末装置を明記した上で、図３の参照番号を使用する。図２１及び図２２において、図４及び図５と同じ参照番号を付したステップは、図４及び図５のステップと同じである。
【０１０１】
図２１を参照して、連携機能を提供する対象の端末装置がステップ４００で検出された後、ステップ７４０において、ＣＰＵ１０２は、表示部１１４に、２台の端末装置に対して入力補助機能を提供可能であることを示すメッセージを含む画像を表示する。具体的には、図２３に示すように、画面６００に、メッセージを含むウィンドウ６６０と２台用キー６６２とが表示される。
【０１０２】
ステップ７４２において、ＣＰＵ１０２は、２台での利用が選択されたか否かを判定する。２台での利用は、２台用キー６６２がタッチされることによって選択される。２台での利用が選択されたと判定された場合、制御はステップ７４４に移行する。そうでなければ、制御はステップ４１０に移行する。
【０１０３】
なお、画像表示装置１００は２台の端末装置を識別する必要がある。例えば、１台の端末装置に関して電源オン、プログラムの起動、及び画像表示装置１００への載置を行なった後、別の端末装置に関して、電源オン、プログラムの起動、及び画像表示装置１００への載置を行なうようにすれば、画像表示装置１００は２台の端末装置を識別し、２台の端末装置と、表示した２組のキーボード画像及びタッチパッド画像とを対応させることができる。また、２台の端末装置がオンされ、専用プログラムが起動された状態で、画像表示装置１００と通信可能になった場合には、端末装置が搭載されたときに、２台の端末装置を識別する情報（デバイス名等）を表示し、ユーザに選択させることにより、端末装置と、キーボード画像及びタッチパッド画像とを対応させてもよい。
【０１０４】
ステップ７４４において、ＣＰＵ１０２は、画面６００を２分割する境界線を表示する。例えば、図２４に示すように、破線の境界線６６４を表示する。図２４において、タッチされた２台用キー６６２は、選択されていることを表すために輝度が反転されて表示されている。
【０１０５】
ステップ７４６において、ＣＰＵ１０２は、タッチ検出部１１２の上に、端末装置が載置されたか否かを判定する。載置された場合、ＣＰＵ１０２は、カウンタ（初期値は“０”）に“１”を加算し、制御はステップ７４８に移行する。そうでなれば、ステップ７４６が繰返される。以下、最初に載置された端末装置を第１端末装置という。
【０１０６】
ステップ７４８において、ＣＰＵ１０２は、載置された第１端末装置の近傍にキーボード画像及びタッチパッド画像を表示する。具体的には、境界線６６４と平行な第１端末装置が載置された側の辺と、第１端末装置が載置された位置との間に、キーボード画像及びタッチパッド画像を表示する。例えば、図２５に示したように、第１端末装置２２２が載置された場合、キーボード画像６７０及びタッチパッド画像６７２が表示される。
【０１０７】
ステップ７５０において、ＣＰＵ１０２は、２台の端末装置が全て載置されたか否かを判定する。２台目の端末装置（以下、第２端末装置という）が載置された場合、ステップ７４６が再度実行され、カウンタの加算処理が実行されて、カウンタの値が“２”になるので、カウンタが“２”であるか否かを判定する。全て載置されたと判定された場合、制御はステップ４１４に移行する。そうでなければ、制御はステップ７４６に戻る。
【０１０８】
２台の端末装置が載置された状態は、図２６のようになる。図２６では、上記したように、第１端末装置２２２が載置された領域６７４にキーボード画像６７０及びタッチパッド画像６７２が表示され、第２端末装置２２４が載置された領域６７６に、対応するキーボード画像６７８及びタッチパッド画像６８０が表示されている。
【０１０９】
ステップ７４２での判定の結果、２台用キー６６２がタッチされていなければ、ステップ４１０において、ＣＰＵ１０２は、タッチ検出部１１２の上に、端末装置が載置されたか否かを判定する。
【０１１０】
ＣＰＵ１０２は、ステップ４１４において、キーボード画像及びタッチパッド画像に対して入力操作がなされたか否かを判定し、入力された場合、ステップ４１８において、ステップ４１４で取得したタッチ位置座標からタッチ位置に対応する指示を特定し、対応するデータ（文字コード等）を、第１端末装置２２２及び第２端末装置２２４のうち、対応する端末装置に送信する。２台用キー６６２がタッチされないまま、ステップ４１４が実行される場合（これは、カウンタの値が初期値“０”であるか否かにより判定できる）には、以下では１台の端末装置に関して処理が実行される。
【０１１１】
ステップ７５２において、ＣＰＵ１０２は、端末装置が、画像表示装置の上から除去されたか否かを判定する。除去されたと判定された場合、制御はステップ７５４に移行する。そうでなければ、制御はステップ４１４に戻る。
【０１１２】
ステップ７５４において、ＣＰＵ１０２は、端末装置が除去された領域からキーボード画像、タッチパッド画像、境界線、及び２台用キー６６２を削除し、その端末装置に終了情報を送信する。このとき、ＣＰＵ１０２は、カウンタが“０”でなければ、カウンタを“１”だけ減算する。
【０１１３】
ステップ７５６において、ＣＰＵ１０２は、端末装置が全て除去された否かを判定する。これは、カウンタが初期値（“０”）であるか否かによって判定される。端末装置が２台とも除去されたと判定された場合、制御はステップ４００に戻る。そうでなければ、制御はステップ４１４に戻る。
【０１１４】
図２２を参照して、第１端末装置及び第２端末装置が実行するプログラムの各ステップは、図５に示されたステップのうち、入力補助機能に関連するステップと同じである。即ち、第１端末装置及び第２端末装置は、上記したように、画像表示装置１００との通信が確立された後、画像表示装置１００から自機宛ての入力データを受信し、入力データに応じた処理を実行する。
【０１１５】
このようにして、２台用キー６６２がタッチされない状態で、１台の端末装置が載置されると（ステップ７４２でＮＯ、ステップ４１０でＹＥＳ）、第１の実施の形態と同様に、１台の端末装置に対して入力補助機能を提供することができる。一方、２台用キー６６２がタッチされ、２台の端末装置が載置されると、画像表示装置１００は、２台の端末装置に対して入力補助機能を提供することができる。載置されている端末装置のうち、１台の端末装置が除去されると、対応するキーボード画像及びタッチパッド画像が消去される。その状態では、搭載された端末装置があれば、その端末装置に対する入力補助機能は維持される。端末装置が全て除去されると。画像表示装置１００の画面から画像が消去され、最初の状態に戻る。
【０１１６】
上記では、ユーザが２台用キー６６２にタッチすることによって、２台の端末装置に対して入力補助機能を提供する場合を説明したが、これに限定されない。例えば、図２３のような画面を表示することなく、端末装置が画像表示装置に載置される度に、画像表示装置が端末装置と通信を確立し、端末装置の近傍に、キーボード画像及びタッチパッド画像を表示するスペースがあれば、それらを表示してもよい。
【０１１７】
また、画像表示装置の画面６００の分割の方法は、図２４のような分割方法に限定されない。例えば、図２７に示すように、画面６００の対角位置を使用してもよい。
【０１１８】
また、画像表示装置の画面が大きければ、３台以上の端末装置に入力補助機能を提供するようにしてもよい。
【０１１９】
以上、実施の形態を説明することにより本発明を説明したが、上記した実施の形態は例示であって、本発明は上記した実施の形態に限定されるものではなく、種々変更して実施することができる。
【符号の説明】
【０１２０】
１００    画像表示装置
１０２、２０２    演算処理部（ＣＰＵ）
１０４、２０４    読出専用メモリ（ＲＯＭ）
１０６、２０６    書換可能メモリ（ＲＡＭ）
１０８、２０８    記録部
１１０、２１０    通信部
１１２、２１２    タッチ検出部
１１４、２１４    表示部
１１６、２１６    表示制御部
１１８、２１８    ビデオメモリ（ＶＲＡＭ）
１２０、２２０    バス
６００    画面
６１０、６７０、６７８    キーボード画像
６１２、６７２、６８０    タッチパッド画像
６２０    終了キー
【図１】
2018028954.tif 000003
【図２】
2018028954.tif 000004
【図３】
2018028954.tif 000005
【図４】
2018028954.tif 000006
【図５】
2018028954.tif 000007
【図６】
2018028954.tif 000008
【図７】
2018028954.tif 000009
【図８】
2018028954.tif 000010
【図９】
2018028954.tif 000011
【図１０】
2018028954.tif 000012
【図１１】
2018028954.tif 000013
【図１２】
2018028954.tif 000014
【図１３】
2018028954.tif 000015
【図１４】
2018028954.tif 000016
【図１５】
2018028954.tif 000017
【図１６】
2018028954.tif 000018
【図１７】
2018028954.tif 000019
【図１８】
2018028954.tif 000020
【図１９】
2018028954.tif 000021
【図２０】
2018028954.tif 000022
【図２１】
2018028954.tif 000023
【図２２】
2018028954.tif 000024
【図２３】
2018028954.tif 000025
【図２４】
2018028954.tif 000026
【図２５】
2018028954.tif 000027
【図２６】
2018028954.tif 000028
【図２７】
2018028954.tif 000029